(57)【要約】【課題】カバーやネジの素材に関係なく、作業性の向上や、ネジ紛失を防ぐことができるカバーユニット及び当該カバーユニットが取り付けられたガスメータを提供する。【解決手段】カバー１０に設けたネジ穴１１に、ネジ２０のネジ軸部２２が貫通し、カバー１０を挟んでネジ頭２１とは反対側にあるネジなし部２２ｂに樹脂リング３１を貫通させた状態で、ネジ２０がカバ１０ーに組み付けられている。ネジ軸部のネジ切り部２２ａ外径は、ネジなし部２２ｂの外径より大きい。【選択図】図１
2005227075.tif 000002
【特許請求の範囲】
【請求項１】
筐体に取り付けられる金属製のカバーと、ネジ頭及びネジ軸部から構成され、前記カバーを筐体に取り付けるための金属製のネジとを備えたカバーユニットであって、
前記カバーに設けたネジ穴に、前記ネジ軸部が貫通され、かつ、前記カバーを挟んで前記ネジ頭とは反対側にあるネジ軸部に第１弾性板が貫通された状態で、前記ネジが前記カバーに組み付けられていることを特徴とするカバーユニット。
【請求項２】
請求項１記載のカバーユニットであって、
前記ネジ軸部は、先端側に設けられた径大部と、ネジ頭側に設けられ、前記径大部より外径の小さい径小部とを有し、
前記第１弾性板は、前記ネジ頭側のネジ軸部に貫通されていることを特徴とするカバーユニット。
【請求項３】
請求項１又は２記載のカバーユニットであって、
前記第１弾性板の板厚は、前記ネジ軸部に切られたネジピッチより厚いことを特徴とするカバーユニット。
【請求項４】
請求項１、２又は３記載のカバーユニットであって、
前記第１弾性板は、前記ネジ軸部が貫通する貫通穴を中心とする円形の一部を切り欠いた形状であることを特徴とするカバーユニット。
【請求項５】
請求項１〜４何れか１項記載のカバーユニットであって、
前記ネジ頭と前記カバーとの間のネジ軸部に、第２弾性板を貫通させた状態で、前記ネジが前記カバーに組み付けられていることを特徴とするカバーユニット。
【請求項６】
請求項５記載のカバーユニットであって、
前記第２弾性板は、前記ネジ軸部が貫通する貫通穴を中心とする円形の一部を切り欠いた形状であることを特徴とするカバーユニット。
【請求項７】
ガス流量を計測する流量計測部を収容する筐体と、
前記筐体に取り付けられる請求項１〜６何れか１項記載のカバーユニットとを備えたことを特徴とするガスメータ。
【発明の詳細な説明】
【技術分野】
【０００１】
本発明は、筐体に取り付けられるカバーと、カバーを筐体に取り付けるためのネジとを備えたカバーユニットと、当該カバーユニットが取り付けられたガスメータとに関するものである。
【背景技術】
【０００２】
ガスメータには、ガス漏れ警報器や、メータ機能を設定する設定器などの外部機器と接続するための端子台が設けられている。この端子台は、普段はネジで取り付けられた端子台カバーにより隠されている。そして、新たにガス漏れ警報器などを設置した場合や、ガス使用状況の変化が生じて設定器によりメータ機能の設定を変更する際に、上述した端子台カバーを取り外して、端子台にガス漏れ警報器や、設定器を接続する。
【０００３】
このように、端子台カバーは、ガスメータを設置してからも取り外しが行われることがあるため、作業性の向上や、ネジの紛失を防止するために、ネジがカバーに設けたネジ穴から脱落しないような構成となっている。
【０００４】
このような構成の一例として図６に示す端子台カバーが知られている。同図に示すように、１００は、樹脂製の端子台カバーである。このカバー１００には、２カ所の略楕円形状のネジ穴１０１が形成されている。この楕円形状のネジ穴１０１に、同じく樹脂製のネジをねじ込みながら圧入することで、一度ネジ穴１０１に圧入すれば、ネジが簡単にネジ穴から脱落しない構成となっていた。
【０００５】
ところで、一般に、流量に応じた電気信号が出力される電子式ガスメータは、計測時に外来ノイズが侵入してきても影響されないような対策をする必要がある。この対策の１つとして、端子台カバーや、それを取り付けるネジを金属製とする必要がある。しかしながら、端子台カバーや、ネジを金属製とした場合、上述した樹脂製の端子台カバーや、ネジと同じようにネジを端子台カバーのネジ穴に圧入することは不可能である。
【発明の開示】
【発明が解決しようとする課題】
【０００６】
そこで、本発明は、上記のような問題点に着目し、カバーやネジが金属製であっても、作業性の向上や、ネジ紛失を防ぐことができるカバーユニット及び当該カバーユニットが取り付けられたガスメータを提供することを課題とする。
【課題を解決するための手段】
【０００７】
請求項１記載の発明は、筐体に取り付けられる金属製のカバーと、ネジ頭及びネジ軸部から構成され、前記カバーを筐体に取り付けるための金属製のネジとを備えたカバーユニットであって、前記カバーに設けたネジ穴に、前記ネジ軸部が貫通され、かつ、前記カバーを挟んで前記ネジ頭とは反対側にあるネジ軸部に第１弾性板が貫通された状態で、前記ネジが前記カバーに組み付けられていることを特徴とするカバーユニットに存する。
【０００８】
請求項１記載の発明によれば、金属製のカバーに設けたネジ穴に、ネジ軸部が貫通され、カバーを挟んでネジ頭とは反対側にあるネジ軸部に第１弾性板が貫通された状態で、ネジがカバーに組み付けられている。従って、第１弾性板を弾性とすることにより、第１弾性板に設けた貫通孔が、ネジ軸部の外径より小さくても、ネジ軸部をねじ込むことができ、第１弾性板をネジ軸部先端から簡単に外れないような構成にすることができる。このため、ネジ軸部先端がネジ穴から抜けそうになっても、第１弾性板がネジ穴周縁に引っかかり、ネジの脱落を防止することができる。
【０００９】
請求項２記載の発明は、請求項１記載のカバーユニットであって、前記ネジ軸部は、先端側に設けられた径大部と、ネジ頭側に設けられ、前記径大部より外径の小さい径小部とを有し、前記第１弾性板は、前記ネジ頭側のネジ軸部に貫通されていることを特徴とするカバーユニットに存する。
【００１０】
請求項２記載の発明によれば、ネジ軸部は、先端側に設けられた径大部と、ネジ頭側に設けられ、径大部より外径の小さい径小部とを有する。第１弾性板は、ネジ頭側のネジ軸部に貫通されている。従って、第１弾性板の貫通孔を、径大部より小さく、径小部より大きく形成すれば、より一層、第１弾性板がネジ軸部先端から外れにくくなり、ネジの脱落を防止することができる。
【００１１】
請求項３記載の発明は、請求項２記載のカバーユニットであって、前記第１弾性板の板厚は、前記ネジ軸部に切られたネジピッチより厚いことを特徴とするカバーユニットに存する。
【００１２】
請求項３記載の発明によれば、第１弾性板の板厚が、ネジ軸部に切られたネジピッチより厚い。従って、ネジを回転させても、第１弾性板がネジ軸部に切られたネジ溝を通ってネジ先端から外れることがない。
【００１３】
請求項４記載の発明は、請求項１、２又は３記載のカバーユニットであって、前記第１弾性板は、前記ネジ軸部が貫通する貫通穴を中心とする円形の一部を切り欠いた形状であることを特徴とするカバーユニットに存する。
【００１４】
請求項４記載の発明によれば、第１弾性板は、ネジ軸部が貫通する貫通孔を中心とする円形の一部を切り欠いた形状である。従って、第１弾性板の形状に合った穴に第１弾性板をはめこめば、第１弾性板の貫通孔にネジをねじこむ際の、貫通孔を中心とした第１弾性板の回転を防止することができる。
【００１５】
請求項５記載の発明は、請求項１〜４何れか１項記載のカバーユニットであって、前記ネジ頭と前記カバーとの間のネジ軸部に、第２弾性板を貫通させた状態で、前記ネジが前記カバーに組み付けられていることを特徴とするカバーユニットに存する。
【００１６】
請求項５記載の発明によれば、ネジ頭とカバーとの間のネジ軸部に、第２弾性板を貫通させた状態で、ネジがカバーに組み付けられている。従って、第２弾性板により、ネジを筐体に設けたネジ穴にねじこんだとき、ネジ頭によりカバーの塗装を剥がさないようにすることができる。
【００１７】
請求項６記載の発明は、請求項５記載のカバーユニットであって、前記第２弾性板は、前記ネジ軸部が貫通する貫通穴を中心とする円形の一部を切り欠いた形状であることを特徴とするカバーユニットに存する。
【００１８】
請求項６記載の発明によれば、第２弾性板は、ネジ軸部が貫通する貫通孔を中心とする円形の一部を切り欠いた形状である。従って、第２弾性板の形状に合った穴に第２弾性板をはめこめば、第２弾性板の貫通孔にネジをねじこむ際の、貫通孔を中心とした第２弾性板の回転を防止することができる。
【００１９】
請求項７記載の発明は、ガス流量を計測する流量計測部を収容する筐体と、前記筐体に取り付けられる請求項１〜６何れか１項記載のカバーユニットとを備えたことを特徴とするガスメータに存する。
【００２０】
請求項７記載の発明によれば、ガス流量を計測する流量計測部を収容する筐体に、請求項１〜６何れか１項記載のカバーユニットが取り付けられている。従って、筐体に設けた端子台に、設定器や、外部機器を接続する際、カバーユニットを取り外しても、カバーユニットのカバーからネジが脱落することがない。
【発明の効果】
【００２１】
以上説明したように請求項１記載の発明によれば、第１弾性板を弾性とすることにより、第１弾性板に設けた貫通孔が、ネジ軸部の外径より小さくても、ネジ軸部をねじ込むことができ、第１弾性板をネジ軸部先端から簡単に外れないような構成にすることができる。このため、ネジ軸部先端がネジ穴から抜けそうになっても、第１弾性板がネジ穴周縁に引っかかり、ネジの脱落を防止することができるので、カバーやネジが金属製であっても、作業性の向上や、ネジ紛失を防ぐことができるカバーユニットを得ることができる。
【００２２】
請求項２記載の発明によれば、第１弾性板の貫通孔を、径大部より小さく、径小部より大きく形成すれば、より一層、第１弾性板がネジ軸部先端から外れにくくなり、ネジの脱落を防止することができるので、より一層、作業性の向上や、ネジ紛失を防ぐことができるカバーユニットを得ることができる。
【００２３】
請求項３記載の発明によれば、ネジを回転させても、第１弾性板がネジ軸部に切られたネジ溝を通ってネジ先端から外れることがないので、より一層、作業性の向上や、ネジ紛失を防ぐことができるカバーユニットを得ることができる。
【００２４】
請求項４記載の発明によれば、第１弾性板の形状に合った穴に第１弾性板をはめこめば、第１弾性板の貫通孔にネジをねじこむ際の、貫通孔を中心とした第１弾性板の回転を防止することができるので、第１弾性板にネジ軸部をねじこみやすくしたカバーユニットを得ることができる。
【００２５】
請求項５記載の発明によれば、第２弾性板により、ネジを筐体に設けたネジ穴にねじこんだとき、ネジ頭によりカバーの塗装を剥がさないようにすることができるカバーユニットを得ることができる。
【００２６】
請求項６記載の発明によれば、第２弾性板の形状に合った穴に第２弾性板をはめこめば、第２弾性板の貫通孔にネジをねじこむ際の、貫通孔を中心とした第２弾性板の回転を防止することができるので、第１弾性板にネジ軸部をねじこみやすくしたカバーユニットを得ることができる。
【００２７】
請求項７記載の発明によれば、筐体に設けた端子台に、設定器や、外部機器を接続する際、カバーユニットを取り外しても、カバーユニットのカバーからネジが脱落することがないので、カバーユニット取り外し時の作業性の向上や、ネジ紛失を防ぐことができるガスメータを得ることができる。
【発明を実施するための最良の形態】
【００２８】
以下、本発明の実施形態を、図面に基づいて説明する。図１（ａ）及び（ｂ）はそれぞれ、本発明のカバーユニットの正面図及びＩＩＩ−ＩＩＩ線部分断面図を示す図である。図２は、図１に示すカバーユニットを構成するカバー１０を示す図である。図３は、図１に示すカバーユニットを構成するネジ２０を示す図である。
【００２９】
図１に示すように、カバーユニットは、ガスメータ筐体に取り付けられる金属製のカバー１０と、このカバー１０をガスメータ筐体に取り付けるための金属製のネジ２０とから構成されている。上述したネジ２０は、図３に示すように、ネジ頭２１とネジ軸部２２とから構成されている。上述したネジ軸部２２は、ネジ溝が切られているネジ切り部２２ａと、ネジ切り部２２ａよりネジ頭２１側に設けられ、ネジ溝が切られていないネジなし部２２ｂとが設けられている。また、ネジ切り部２２ａ（＝径大部）のネジ山外径Ｒ1は、ネジなし部２２ｂ（＝径小部）の外径Ｒ2より大きく形成されている。
【００３０】
これに対して、上述したカバー１０には、図２に示すように、円形状のネジ穴１１が設けられている。このネジ穴径Ｒ3は、ネジ山外径Ｒ1より大きく設けられている。従って、ネジ軸部２２を、ねじこんだりすることなく、ネジ穴１１に挿入することができる。上述したネジ２０は、図１（ｂ）に示すように、ネジ軸部２２がネジ穴１１に貫通し、ネジ頭２１とカバー１０との間のネジなし部２２ｂに樹脂リング３０（＝第２弾性板）を貫通させ、さらに、カバー１０を挟んでネジ頭２１とは反対側にあるネジなし部２２ｂに、樹脂リング３１（＝第１弾性板）を貫通させた状態で、カバー１０に取り付けられている。
【００３１】
上述した樹脂リング３０、３１は何れも、図４に示すように、円形の貫通穴３２が形成されている。この貫通穴３２の貫通穴径Ｒ4は、ネジ山外径Ｒ1より小さく、ネジなし部２２ｂの外径Ｒ2よりも大きい。また、樹脂リング３０、３１は何れも、Ｄカットが施され、貫通穴３２を中心とした円形を一部切り欠いた形状となっている。
【００３２】
上述したネジ２０は、以下のような手順でカバー１０に取り付けられる。まず、最初に樹脂リング３０をネジ２０のネジなし部２２ｂに貫通させる。この作業は、例えば、図５に示すような治具を用いて行われる。同図に示すように、治具には、ネジ頭２１部分を嵌めることができる、上面視円形のネジ頭用嵌合穴５１が設けられている。また、ネジ頭用嵌合穴５１内には、樹脂リング３０、３１を嵌めることができる、上面視Ｄ字状のリング用嵌合穴５２が設けられている。さらに、リング用嵌合穴５２には、ネジ軸部２２部分を嵌めることができる、上面視略円形のネジ軸部用嵌合穴５２が設けられている。
【００３３】
以上の構成の治具のリング用嵌合穴５２に、樹脂リング３０を嵌める。その後、治具の上面からネジ軸部２２をねじりながら、樹脂リング３０の貫通穴３２にねじ込んで、ネジなし部２２ｂまで樹脂リング３０を移動させる。これで、樹脂リング３０がネジなし部２２ｂに貫通した状態となる。次に、ネジ２０及び樹脂リング３０を治具から外して、ネジ２０をカバー１０のネジ穴１１に挿入する。そして、ネジ２０をネジ穴１１に挿入した状態で、再び治具を使って、樹脂リング３１の貫通孔３２にネジ切り部２２ａをねじ込んだ後、ネジなし部２２ｂまで移動させる。
【００３４】
このようにすれば、樹脂リング３０は、ネジ頭２１とカバー１０との間のネジなし部２２ｂを貫通し、樹脂リング３１は、カバー１０とネジ切り部２２ａとの間のネジなし部２２ｂを貫通する。また、樹脂リング３０、３１に、Ｄカットを施し、貫通穴３２を中心とした円形を一部切り欠いた形状とし、図５に示すような治具を用いることにより、ネジ軸２２をねじりながら貫通穴３２に挿入する際に、樹脂リング３０、３１の貫通穴３２を中心とした回転を防止することができる。このため、簡単に樹脂リング３０、３１の貫通孔３２にネジ軸部２２を挿入することができる。
【００３５】
以上のカバーユニットによれば、ネジ切り部２２ａのネジ山外径Ｒ1を、ネジなし部２２ｂの外径Ｒ2より大きくして、樹脂リング３１の貫通孔Ｒ3を、ネジ山外径Ｒ1より小さく、ネジなし部２２ｂの外径Ｒ2より大きく形成している。これにより、矢印Ｙ１方向にネジが移動しても、ネジ切り部２２ａのネジ山が樹脂リング３１に引っかかって、ネジ２０がネジ穴１１から脱落を防止することがない。従って、カバー１０やネジ２０が金属製であっても、作業性の向上、及び、ネジ２０の紛失を防ぐことができる。
【００３６】
また、上述したカバーユニットによれば、ネジ軸部２２に挿入する樹脂リング３０、３１を樹脂製として、弾性を持たすことにより、貫通穴３２より大きいネジ山外径Ｒ1を持つネジ切り部２２ａに樹脂リング３０、３１にねじ込んで、ネジなし部２２ｂまで移動させることができる。
【００３７】
また、上述したカバーユニットによれば、樹脂リング３１の厚さを、ネジピッチより厚くすることにより、ネジ２０を回転させても、樹脂リング３１がネジ切り部２２ａに切られたネジ溝を通ってネジ先端から外れることがない。
【００３８】
また、上述したカバーユニットによれば、ネジ頭２１とカバー１０との間のネジ軸部２２に、樹脂リング３０を貫通させた状態で、ネジ２０がカバー１０に組み付けられている。従って、樹脂リング３０により、ネジ２０を筐体（図示せず）に設けたネジ穴にねじこんだとき、ネジ頭２１によりカバー１０の塗装を剥がさないようにすることができる。
【００３９】
上述した実施形態では、例えば、ネジ切り部２２ａのネジ山外径Ｒ1を、ネジなし部２２ｂの外径Ｒ2より大きくしていた。しかしながら、例えば、ネジ軸部全体の外径を、樹脂リング３１の貫通穴３２より小さめにすることも考えられる。この場合、樹脂リング３１の貫通穴３２にネジ軸部２２が圧入されるため、樹脂リング３１が簡単にネジ軸部２２から脱落することはなく、樹脂リング３１がストッパとして働き、ネジ先端から脱落することがなくなる。
【図面の簡単な説明】
【００４０】
【図１】（ａ）及び（ｂ）はそれぞれ、本発明のカバーユニットの正面図及びＩＩＩ−ＩＩＩ線断面図を示す図である。
【図２】図１に示すカバーユニットを構成するカバー１０を示す図である。
【図３】図１に示すカバーユニットを構成するネジ２０を示す図である。
【図４】図１に示す樹脂リング３０、３１を示す図である。
【図５】ネジ軸部２２に樹脂リング３０、３１を貫通させるために用いる治具の一例を示す図である。
【図６】従来の端子台カバーの一例を示す図である。
【符号の説明】
【００４１】
１０    カバー
１１    ネジ穴
２０    ネジ
２１    ネジ頭
２２    ネジ軸部
２２ａ  ネジ切り部２２ａ（径大部）
２２ｂ  ネジなし部２２ｂ（径小部）
３０    樹脂リング（第２弾性板）
３１    樹脂リング（第１弾性板）
【図１】
2005227075.tif 000003
【図２】
2005227075.tif 000004
【図３】
2005227075.tif 000005
【図４】
2005227075.tif 000006
【図５】
2005227075.tif 000007
【図６】
2005227075.tif 000008